(57)【要約】【課題】商品のサイズによって通路幅を狭め、整列した状態で商品を収納できる商品収納コラムを提供すること。【解決手段】商品の収納領域を画成するパーテション６３を備えた商品収納コラム６において、パーテション６３に引出可能に装着され、引き出された場合に商品の収納領域に進出することにより通路幅を狭めるアジャスタ６４２を備えたので、商品のサイズによって通路幅を狭めれば、整列した状態で商品収納コラム６に商品を収納できる。【選択図】図５
2010170414.tif 000002
【特許請求の範囲】
【請求項１】
商品の収納領域を画成するパーテションを備えた商品収納コラムにおいて、
パーテションに引出可能に装着され、引き出された場合に商品の収納領域に進出することにより通路幅を狭めるアジャスタを備えたことを特徴とする商品収納コラム。
【請求項２】
アジャスタが装着される装着孔がパーテションの上面に形成されたことを特徴とする請求項１に記載の商品収納コラム。
【請求項３】
前記装着孔が前後および左右にずれた二つの長孔を連設させた異形孔であることを特徴とする請求項２に記載の商品収納コラム。
【請求項４】
前記アジャスタは、パーテションに収容される突起が側面に設けられ、引き出された場合に該突起がパーテションの側面に当たり傾くことにより商品の収納領域に進出することを特徴とする請求項１〜３のいずれか一つに記載の商品収納コラム。
【発明の詳細な説明】
【技術分野】
【０００１】
本発明は、自動販売機に搭載され、前後方向に一列に収納された商品を後方から前方に向けて搬送することにより、前方端から商品が払い出される商品収納コラムに関する。
【背景技術】
【０００２】
自動販売機に搭載され、前後方向に一列に収納された商品を後方から前方に向けて搬送することにより、前方端から商品が払い出される商品収納コラムが知られている。商品収納コラムは、断面Ｕの字形の樋状ケースであって、商品が起立姿勢で前後方向に一列に収納されるコラムケースと、コラムケースの前側に配設され、商品を収納位置に拘束するゲート機構と、商品を背後から押し出すプッシャ機構とを備えている。プッシャ機構は、前後一対のプーリ間に張架されたベルトと、該ベルトに連結され、コラムケースの最後列に並んだ商品の背後から商品を押し出す衝立状のプッシャと、前側のプーリに連結され、動力が伝達される歯車とを備えている。
【０００３】
この商品収納コラムにおいて、ゲート機構を開放し、商品の拘束を解いた後、歯車、前側のプーリを介してベルトを循環させることにより、プッシャを後方から前方に向けて移動させると、プッシャが商品を押し出し、商品は前方端から払い出される（たとえば、特許文献１参照）。
【先行技術文献】
【特許文献】
【０００４】
【特許文献１】特開平１０−３０２１４０号公報
【発明の概要】
【発明が解決しようとする課題】
【０００５】
しかしながら、上述した商品収納コラムには、缶入り飲料、紙パック入り飲料のように、商品によってサイズ（特に、商品の幅）が異なり、商品のサイズによって通路幅を狭め、整列した状態で商品を収納する必要がある。
【０００６】
本発明は、上記に鑑みてなされたものであって、商品のサイズによって通路幅を狭め、整列した状態で商品を収納できる商品収納コラムを提供することを目的とする。
【課題を解決するための手段】
【０００７】
上述した課題を解決し、目的を達成するために、本発明は、商品の収納領域を画成するパーテションを備えた商品収納コラムにおいて、パーテションに引出可能に装着され、引き出された場合に商品の収納領域に進出することにより通路幅を狭めるアジャスタを備えたことを特徴とする。
【０００８】
また、本発明は、上記発明において、アジャスタが装着される装着孔がパーテションの上面に形成されたことを特徴とする。
【０００９】
また、本発明は、上記発明において、前記装着孔が前後および左右にずれた二つの長孔を連設させた異形孔であることを特徴とする。
【００１０】
また、本発明は、上記発明において、前記アジャスタは、パーテションに収容される突起が側面に設けられ、引き出された場合に該突起がパーテションの側面に当たり傾くことにより商品の収納領域に進出することを特徴とする。
【発明の効果】
【００１１】
本発明にかかる商品収納コラムは、パーテションに引出可能に装着され、引き出された場合に商品の収納領域に進出することにより通路幅を狭めるアジャスタを備えたので、商品のサイズによって通路幅を狭めれば、整列した状態で商品収納コラムに商品を収納できる。
【図面の簡単な説明】
【００１２】
【図１】本発明の実施の形態である商品収納コラムを搭載した自動販売機の外観を示す正面図である。
【図２】図１に示した自動販売機の外扉を開放した状態を示す斜視図である。
【図３】本発明の実施の形態である商品収納コラムからなる商品収納ラックを示す斜視図である。
【図４】アジャスタを収納した商品収納コラムを示す斜視図である。
【図５】アジャスタを引き出した商品収納コラムを示す斜視図である。
【図６】アジャスタを収納した商品収納コラムを示す正面図である。
【図７】アジャスタを引き出した商品収納コラムを示す正面図である。
【図８】パーテションとアジャスタとの関係を示す分解斜視図である。
【図９】パーテションとアジャスタとの関係を示す分解斜視図である。
【発明を実施するための形態】
【００１３】
以下に、本発明にかかる商品収納コラムの実施の形態を図面に基づいて詳細に説明する。なお、この実施の形態によりこの発明が限定されるものではない。
【００１４】
ここで説明する商品収納コラム６は、図１および図２に示すように、内部に収納した商品を外部から視認可能な自動販売機に搭載されるものである。商品収納コラム６が搭載される自動販売機は、図２に示すように、前面が開口した箱状の本体キャビネット１と、本体キャビネット１の前面開口を閉塞する外扉２とを備えている。図２に示すように、本体キャビネット１の内部は、仕切板１１によって、約８割を占める上方域と約２割を占める下方域とに画成され、約８割を占める上方域が商品収容室１２を構成し、約２割を占める下方域が機械室１３を構成している。商品収容室１２には、商品収納ラック３が収納してある。商品収納ラック３は、本発明の実施の形態である商品収納コラム６を、左右方向に複数列（たとえば、図２に示す例では、７列）、上下方向に複数段（たとえば、図２に示す例では、８段）配列して構築したもので、図３に示すように、左右方向に配列された商品収納コラム６を一つのラック３１に搭載し、同じ高さの商品収納コラム６を収納位置から予め定めた引出位置に一括して引き出せるようになっている。
【００１５】
図２に示すように、商品収納ラック３の前方域には、バケット４を左右方向（Ｘ方向）および上下方向（Ｙ方向）に移動させ、選択された商品収納コラム６から商品を受け取り、商品搬送位置に搬送するバケット装置（図示せず）が配設してある。バケット４は、選択された商品収納コラム６の前方に移動した場合に、後述するギア６１６に噛合し、ギア６１６に駆動力を伝達する駆動ギア（図示せず）と、駆動ギアを駆動する駆動モータと、後述するレバー６２３を押圧するプッシャ（図示せず）とを備えている。
【００１６】
図２に示すように、バケット装置の前方には、内扉５が設けてある。内扉５は、商品収容室１２の前面開口を閉塞する扉体であって、外扉２と内扉５の二重構造とすることにより、省エネを実現している。内扉５は、商品収納コラム６に収納した商品を外部から視認できるように、ガラス板５１を枠体５２に嵌め込んで構成してある。また、内扉５の右側、高さ方向略三分の一の位置には、商品搬出口５３が設けてある。商品搬出口５３は、商品収容室１２の内部から外部に商品を搬出するための矩形穴であって、搬出位置に移動したバケット４から商品搬出口５３に向けて商品が搬出されるようになっている。商品搬出口５３は、搬出口フラッパ５４によって閉塞されており、バケット４から商品搬出口５３に搬出された商品が搬出口フラッパ５４を押し開くことにより、商品搬出口５３が開放されるようになっている。
【００１７】
図１に示すように、外扉２には、ガラス板２１が嵌め込んであり、ガラス板２１、内扉（ガラス板５１）５を介して商品収納コラム６に収納した商品を外部から視認できるようになっている。また、図１に示すように、外扉２の中程には商品取出口２２が設けてある。商品取出口２２は、商品搬出口５３から搬出された商品を取り出すための矩形穴であって、商品搬出口５３よりも下方となる位置に設けてある。商品取出口２２は、取出口フラッパ２３によって閉塞されており、利用者が外部から取出口フラッパ２３を押し開くことにより、商品取出口２２が開放されるようになっている。
【００１８】
本実施の形態である商品収納コラム６は、前後方向に一列に収納された商品を後方から前方に向けて搬送することにより、前方端からバケット４に商品を払い出すもので、ベルトメカ６１、ゲートメカ６２、パーテション６３を備えている。
【００１９】
ベルトメカ６１は、後方から前方に向けて商品を搬送するもので、後方から前方に向けて延在するベース（図示せず）を備えている。ベースの後端部には従動プーリが回転自在に支承され、ベースの前端部には駆動プーリ６１３が回転可能に支承されている。そして、従動プーリと駆動プーリ６１３との間には、ベルト６１４が巻回してある。ベルト６１４は、編み込みベルトで構成してあり、任意の位置にプッシャ６１７が装着可能となっている。また、駆動プーリ６１３の駆動軸６１５には、駆動プーリ６１３を回転させる動力が伝達されるギア６１６が設けてある。
【００２０】
プッシャ６１７は、ベルト６１４に装着される基部６１７ａと、基部６１７ａから上方に延在し、商品を背後から支持するプッシャ部６１７ｂとを有している。
【００２１】
ゲートメカ６２は、商品収納コラム６の前方端を閉鎖することにより、振動等による商品の落下を防止する一方、商品収納コラムの６の前方端を開放することにより、商品の払い出しを可能にするもので、図３に示すように、ベルトメカ６１の前側右側部に配設されている。
【００２２】
図４および図５に示すように、ゲートメカ６２は、幅の狭い箱状に形成されたフレーム６２１と、フレーム６２１に支承され、商品収納コラム６の前方端を閉鎖するゲート６２２と、フレーム６２１の前面に表出するように設けられ、ゲート６２２を開放する場合に押圧されるレバー６２３とを備えている。
【００２３】
フレーム６２１は、商品収納コラムの前側右側部において商品の収納域を画成するとともに、レバー６２３が押圧された場合に商品収納コラム６の前方端を開放するようにゲート６２２を回動させ、レバー６２３が解放された場合に商品収納コラム６の前方端を閉鎖するようにゲート６２２を回動させるゲート開閉機構（図示せず）を収容している。
【００２４】
パーテション６３は、フレーム６２１に連続して設けられ、隣り合う商品収納コラム６の商品収納域を画成している。すなわち、パーテション６３は、当該商品収納コラム６の商品収納域右側を画成すると同時に、右隣となる商品収納コラムの商品収納域左側を画成している。
【００２５】
図９に示すように、パーテション６３は、フレーム６２１と同様、幅の狭い箱状に形成されており、その上面に前後一対となる異形孔（装着孔）６３１が形成してある。異形孔６３１は、前後および左右にずれた二つの長孔を連設させたもので、クランク状を呈している。また、パーテション６３の右側面には、前後一対となる細長い矩形状の孔６３２が設けてある。
【００２６】
図４および図５に示すように、異形孔６３１には、アジャスタ６４が引き出し可能に装着されている。アジャスタ６４は、通路幅（商品収納領域の幅）を狭めるためのもので、パーテション６３の上面に装着される基部６４１と、基部６４１から下方に向けて延在し、商品を規制する規制部６４２とを有している。基部６４１には、前後一対となる爪６４１ａが下方に向けて設けてあり、この爪６４１ａが異形孔６３１に挿通するようになっている。そして、アジャスタ６４を後方から前方に引き出すと、爪６４１ａが異形孔６３１に案内されて、規制部６４２がパーテション６３から離反し、図５および図７に示すように、規制部６４２を傾けることができるようになる。一方、アジャスタ６４を前方から後方に押し込むと、爪６４１ａが異形孔６３１に案内されて、規制部６４２がパーテションに近接するようになる。
【００２７】
規制部６４２の左側面には、突起６４２ａが設けてあり、この突起６４２ａが孔６３２に挿通するようになっている。そして、アジャスタ６４を後方から右斜め前方に引き出すと、突起６４２ａがパーテション６３の側面に当たり、図５および図７に示すように、規制部６４２が傾き、通路幅が狭くなる。一方、アジャスタ６４を前方から後方に押し込むと、突起６４２ａが孔６３２に挿通し、図４および図６に示すように、規制部６４２がパーテション６３の側面に沿い、通路幅が元に戻る。
【００２８】
上述した自動販売機において、商品（商品が収納されている商品収納コラム６）が選択されると、選択された商品が収納されている商品収納コラム６の前方にバケットが４移動し、駆動ギアがギア６１６と噛合するとともに、プッシャがレバー６２３を押圧する。
【００２９】
レバー６２３が押圧されると、商品収納コラム６の前方端を開放するようにゲート６２２が回動され、商品の払い出しが可能となる。その後、駆動ギアを回転させると、駆動ギアからギア６１６に駆動プーリ６１３を回転させる動力が伝達され、プッシャ６１７が後方から前方に移動するように、ベルト６１４が走行し、商品収納コラム６からバケット４に商品が払い出される。バケット４に商品が払い出されると、駆動ギアをギア６１６から離脱させるとともに、プッシャをレバー６２３から離脱させ、その後、バケット４を商品搬出位置に移動させる。
【００３０】
バケット４が商品搬送位置に移動すると、バケット４から商品搬出口５３に向けて商品が搬出され、商品が搬出口フラッパ５４を押し開くので、取出口フラッパ２３を押し開けば、商品を取り出すことができるようになる。
【００３１】
ところで、商品収納コラム６に収納してある商品を幅の広いものから幅の狭いものに入れ替える場合には、当該商品収納コラム６から商品を抜き取り、操作穴６４２ｂに指を入れてアジャスタ６４を後方から右斜め前方に引き出すことになる。アジャスタ６４を後方から右斜め前方に引き出すと、爪６４１ａが異形孔６３１に案内され、突起６４２ａがパーテション６３の側面に当たり、規制部６４２が傾き、通路幅が狭くなる。その後、幅の狭い商品を補充すれば、商品の入れ替えが完了する。
【００３２】
一方、商品収納コラム６に収納してある商品を幅の狭いものから幅の広いものに入れ替える場合には、当該商品収納コラム６から商品を抜き取り、操作穴６４２ｂに指を入れてアジャスタ６４を前方から後方に押し込むことになる。アジャスタ６４を前方から後方に移動させると、爪６４１ａが異形孔に案内され、突起６４２ａが孔６３２に挿通し、規制部６４２がパーテション６３の側面に沿い、通路幅が元に戻る。その後、幅の広い商品を補充すれば、商品の入れ替えが完了する。
【００３３】
上述した商品収納コラム６によれば、収納してある商品を幅の広いものから狭いものに入れ替える場合には、当該商品収納コラム６から商品を抜き取り、アジャスタ６４を後方から右斜め前方に引き出せば、通路幅が狭くなり、幅の狭い商品を整列して収納できるようになる。一方、収納してある商品を幅の狭いものから幅の広いものに入れ替える場合には、当該商品収納コラム６から商品を抜き取り、アジャスタ６４を前方から後方に押し込めば、通路幅が元に戻り、幅の広い商品を整列して収納できるようになる。
【００３４】
さらに、通路幅を変更するごとに、アジャスタ６４を着脱させる必要がないので、アジャスタが紛失したり、破損したりすることがない。
【符号の説明】
【００３５】
１    本体キャビネット
１１    仕切板
１２    商品収容室
１３    機械室
２    外扉
２１    ガラス板
２２    商品取出口
２３    取出口フラッパ
３    商品収納ラック
３１    ラック
４    バケット
５    内扉
５１    ガラス板
５２    枠体
５３    商品搬出口
５４    搬出口フラッパ
６    商品収納コラム
６１    ベルトメカ
６１３    駆動プーリ
６１４    ベルト
６１５    駆動軸
６１６    ギア
６１７    プッシャ
６１７ａ    基部
６１７ｂ    プッシャ部
６２    ゲートメカ
６２１    フレーム
６２２    ゲート
６２３    レバー
６３    パーテション
６３１    異形孔（装着孔）
６３２    孔
６４    アジャスタ
６４１    基部
６４１ａ    爪
６４２    規制部
６４２ａ    突起
６４２ｂ    操作穴
【図１】
2010170414.tif 000003
【図２】
2010170414.tif 000004
【図３】
2010170414.tif 000005
【図４】
2010170414.tif 000006
【図５】
2010170414.tif 000007
【図６】
2010170414.tif 000008
【図７】
2010170414.tif 000009
【図８】
2010170414.tif 000010
【図９】
2010170414.tif 000011